(57)【要約】【課題】鋸と鋸鞘との一体構造において、特に販売時において、鋸鞘に差し入れてある鋸を別の鋸に意図的に差し替えて購入する行為を効果的に防止することができると共に、輸送時や商品展示時に鋸鞘から鋸が抜け落ちることを効果的に防止することができる鋸と鋸鞘との一体構造の提供を課題とする。【解決手段】鋸２と、鋸２の鋸刃２１を収納する鋸鞘３とをセットして販売するため、鋸刃２１を鋸鞘３に収納してなる鋸２と鋸鞘３との一体構造１であって、鋸２の鋸柄２１と鋸鞘３とを結束紐４を介して結束してある。【選択図】      図１
0003198391.tif 000002
【実用新案登録請求の範囲】
【請求項１】
鋸と、該鋸の鋸刃を収納する鋸鞘とをセットして販売するため、前記鋸刃を前記鋸鞘に収納してなる鋸と鋸鞘との一体構造であって、前記鋸の鋸柄と前記鋸鞘とを結束具を介して結束してあることを特徴とする鋸と鋸鞘との一体構造。
【請求項２】
結束具は結束紐であると共に、該結束紐で紐結束するための紐通穴を、鋸柄と鋸鞘とにそれぞれ設けてあることを特徴とする請求項１に記載の鋸と鋸鞘との一体構造。
【請求項３】
結束紐の長さは、鋸刃の末端側を鋸鞘から抜き差し自在とする長さに調整してあることを特徴とする請求項２に記載の鋸と鋸鞘との一体構造。
【考案の詳細な説明】
【技術分野】
【０００１】
本考案は、鋸と鋸鞘との一体構造に関する。
【背景技術】
【０００２】
従来、鋸は比較的寸法が大きく、折り畳み鋸以外は鋸鞘を付属させないことが多いことから、鋸の販売においては、鋸と鋸鞘とをセットせずに鋸そのものを販売するものが一般的であった。
一方、近年においては、折り畳み鋸以外の鋸であっても鋸鞘を付属させて販売するものが多くなってきている。特に、植木の枝切り作業や、樹木の剪定作業に使用する鋸のように、作業者の腰に鞘付きの鋸を装着しておき、鋸での作業が必要となった段階で、鋸鞘から鋸を抜き出して使用し、必要でない時には、鋸刃を鋸鞘に収納して他の作業を行うような鋸においては、鋸と鋸鞘とをセットして販売することが一般的になってきている。
このような鋸と鋸鞘との一体構造を示す従来技術として、下記特許文献１がある。
【先行技術文献】
【特許文献】
【０００３】
【特許文献１】特開２００４−３３０３０９号公報
【考案の概要】
【考案が解決しようとする課題】
【０００４】
上記特許文献１は、鞘付き鋸の係合手段に関する発明で、鋸と鋸鞘との係合を簡単な操作によって行い得るようにできると共に、長期間の使用により係合部が損傷するのを防止できるメリットがある。
しかし、このような従来の鋸と鋸鞘との一体構造は、鋸鞘から鋸を自由に抜き差しできる構成であることから、特に販売店で鋸と鋸鞘とをセットして販売する際に、鋸鞘に差し入れてある鋸を別の鋸に意図的に差し替えて購入する行為を防止することが困難であるという問題があった。
また販売店まで輸送する際や販売店で陳列する際に、鋸鞘から鋸が抜け落ちることを効果的に防止することができないという問題があった。
【０００５】
そこで本考案は上記従来技術の問題を解消し、鋸と鋸鞘との一体構造において、特に販売時に鋸鞘に差し入れてある鋸を別の鋸に意図的に差し替えて購入する行為を効果的に防止することができ、また輸送時や商品陳列時に鋸鞘から鋸が抜け落ちることを効果的に防止することができる鋸と鋸鞘との一体構造の提供を課題とする。
【課題を解決するための手段】
【０００６】
本考案の鋸と鋸鞘との一体構造は、鋸と、該鋸の鋸刃を収納する鋸鞘とをセットして販売するため、前記鋸刃を前記鋸鞘に収納してなる鋸と鋸鞘との一体構造であって、前記鋸の鋸柄と前記鋸鞘とを結束具を介して結束してあることを第１の特徴としている。
【０００７】
また本考案の鋸と鋸鞘との一体構造は、上記第１の特徴に加えて、結束具は結束紐であると共に、該結束紐で紐結束するための紐通穴を、鋸柄と鋸鞘とにそれぞれ設けてあることを第２の特徴としている。
【０００８】
また本考案の鋸と鋸鞘との一体構造は、上記第２の特徴に加えて、結束紐の長さは、鋸刃の末端側を鋸鞘から抜き差し自在とする長さに調整してあることを第３の特徴としている。
【考案の効果】
【０００９】
請求項１に記載の鋸と鋸鞘との一体構造によれば、結束具を介して鋸と鋸鞘とを結束してあることで、特に販売時において、鋸鞘に差し入れてある鋸を別の鋸に意図的に差し替えて購入する行為を効果的に防止することができる。また商品輸送時や商品陳列時に鋸鞘から鋸が抜け落ちることを効果的に防止することができる。
【００１０】
また請求項２に記載の鋸と鋸鞘との一体構造によれば、上記請求項１に記載の構成による作用効果に加えて、結束具を結束紐とすることで、簡易な構成で鋸と鋸鞘とを結束することができる。よって結束作業の効率化を図ることができる。
【００１１】
また請求項３に記載の鋸と鋸鞘との一体構造によれば、上記請求項２に記載の構成による作用効果に加えて、結束紐の長さは、鋸刃の末端側を鋸鞘から抜き差し自在とする長さに調整してあることで、鋸と鋸鞘とを結束してある状態でも、鋸の購入希望者が鋸刃の末端側を確認できる構成とすることができる。
【図面の簡単な説明】
【００１２】
【図１】本考案の実施形態に係る鋸と鋸鞘との一体構造を示す正面図である。
【図２】本考案の実施形態に係る鋸と鋸鞘との一体構造を示す分解図である。
【図３】本考案の実施形態に係る鋸と鋸鞘との一体構造を示す斜視図で、鋸鞘に鋸を収納した状態を示す図である。
【図４】本考案の実施形態に係る鋸と鋸鞘との一体構造を示す斜視図で、鋸鞘から鋸刃の末端側を抜き出した状態を示す図である。
【考案を実施するための形態】
【００１３】
以下の図面を参照して、本考案の実施形態に係る鋸と鋸鞘との一体構造を説明し、本考案の理解に供する。しかし、以下の説明は本考案の実用新案登録請求の範囲に記載の考案を限定するものではない。
【００１４】
本考案の実施形態に係る鋸と鋸鞘との一体構造１は、鋸と鋸鞘とをセットして販売するためのもので、図１、図２に示すように、鋸２と、鋸鞘３と、結束紐４とで構成される。
なお説明の便宜上、図１において、本来破線で示すべき部分（鋸刃２１と、鋸柄２２のうち、鞘本体３２に収納されている部分）を実線で示すものとする。
【００１５】
前記鋸２は、図１、図２に示すように、刃部である鋸刃２１と、グリップ部である鋸柄２２とで構成される。
【００１６】
また本実施形態においては図１に示すように、鋸柄２２にはリング穴２２ａを設けており、このリング穴２２ａに差し通した結束用リング２３に結束紐４を通すことで、鋸柄２２（鋸２）と鋸鞘３とを結束する（連結する）構成としてある。つまり本実施形態においては、鋸柄２２と鋸鞘３とを結束紐４で紐結束するための紐通穴として、結束用リング２３を設ける構成としてある。
なお鋸柄２２としては、弾性を備えたゴム製或いはプラスチック製、或いはその他の材料とすることができる。
【００１７】
前記鋸鞘３は、鋸２の鋸刃２１を収納するためのもので、鞘口部３１と、鞘本体３２と、吊り下げ部３３とで構成される。
【００１８】
前記鞘口部３１は鋸刃２１を差し入れ可能な鞘孔を備える扁平な筒状体で構成され、その口幅を入口３１ａで広く且つ口内の奥にいくにつれて狭くなるように構成されている。
また図１、図２に示すように、入口３１ａの幅方向（入口の長手方向）の左右両側には、一対の案内ロール３１ｂが回転自在に設けられている。一対の案内ロール３１ｂは、その回転軸を入口３１ａの幅方向（長手方向）に対して垂直な方向（入口の短手方向）とされ、差し入れられてくる鋸刃２１の刃先２１ａを鞘口部３１の入口３１ａ内へとスムーズに案内する役割を果たすものである。
【００１９】
また本実施形態においては、鋸鞘３の鞘口部３１には、鋸刃２１の刃先２１ａを受けて入口３１ａ側へ導くための刃先受台３１ｃが設けられている。なお、この刃先受台３１ｃは、入口３１ａから面一に延出された状態に形成されている。
鋸２を鋸鞘３に差し入れる際、鋸刃２１の刃先２１ａは、先ず刃先受台３１ｃに当接し、その刃先受台３１ｃ上を案内されながら移動し、前記案内ロール３１ｂに達し、案内ロール３１ｂによって速やかに入口３１ａに導かれる。
【００２０】
前記吊り下げ部３３は、鋸鞘３を購入者（作業者）の腰ベルト等に取り付けるためのもので、ジョイント部３３ａと、ベルト部３３ｂと、リング穴３３ｃとで構成される。
前記ジョイント部３３ａは、前記刃先受台３１ｃの図示しないジョイント部と着脱自在に連結される部分である。
また前記ベルト部３３ｂは、帯状の輪で構成され、購入者（作業者）の腰ベルト等に通すことができるようになされている。
また前記リング穴３３ｃは、紐やチェーン等の連結手段を通すことで、購入者（作業者）の腰ベルト等に吊り下げ部３３を取り付け可能とするためのものである。
【００２１】
なお本実施形態においては、図１、図３に示すように、帯状の輪で構成されるベルト部３３ｂに結束紐４を差し通す構成としてある。つまり販売時において、鋸柄２２（鋸２）と鋸鞘３とを結束紐４で紐結束するための紐通穴としてベルト部３３ｂを用いる構成としてある。
勿論、このような構成に限るものではなく、例えば結束紐４をリング穴３３ｃに差し通すことで鋸柄２２と鋸鞘３とを結束する構成としてもよい。
【００２２】
前記結束紐４は、鋸柄２２（鋸２）と鋸鞘３とを結束するための結束具である。
本実施形態においては、結束紐４として、ポリプロピレン樹脂等の樹脂で形成される結束紐（いわゆる樹脂製のタグ紐）を１本用いる構成としてある。より具体的には図１、図２に示すように、左右何れか一端に環状のロック部４１を備えると共に、残る他端にロック部４１に嵌め込む頭部４２を備える結束紐４を用いる構成としてある。この結束紐４は、リング状にした後、頭部４２をロック部４１に嵌め込むことで結束することができる。
また本実施形態においては、結束紐４の長さを、鋸刃２１の末端側を鋸鞘３から抜き差し自在とする長さに調整してある。ここで「鋸刃２１の末端側」とは、刃元２１ｂから刃先２１ａに向かって数センチ程度（好適には５ｃｍ〜１０センチ程度）の範囲のことを意味するものである。つまり、鋸刃２１の末端側だけを鋸鞘３から抜き差し自在とすると共に、鋸刃２１の中央付近から刃先２１ａまでは鋸鞘３に収納保持できる構成としてある。
勿論、結束紐４の材質、数、太さ、長さ等は本実施形態のものに限るものではなく、鋸２と鋸鞘３とを結束できるものであれば、適宜変更可能である。但し、結束紐４の長さは、鋸刃２１の末端側を鋸鞘３から抜き差し自在とする長さであることが望ましい。また少なくとも手で容易に切断できない材質であることが必要である。
【００２３】
次に図３、図４を参照して、鋸２を鋸鞘３に収納すると共に、鋸柄２２と鋸鞘３とを結束紐４を介して結束する（連結する）工程を説明する。
【００２４】
まず、鋸刃２１の刃先２１ａを刃先受台３１ｃに沿わせて入口３１ａへと移動させる。これによって、鋸刃２１の刃先２１ａが刃先受台３１ｃに沿って入口３１ａから鞘本体３２の内部に差し入れられる。この際、一対の案内ロール３１ｂの何れかに鋸刃２１が接触することで、一段と効率的に鋸刃２１を鞘本体３２に差し入れることができる。
そして鋸刃２１の末端側である刃元２１ｂまでを鞘本体３２の内部に差し入れる。これによって、図３に示すように、鋸２（鋸刃２１）が鋸鞘３に収納される。
この状態で、結束用リング２３とベルト部３３ｂとに結束紐４を差し通して鋸柄２２と鋸鞘３との結束を行う。より具体的には、結束用リング２３とベルト部３３ｂとに結束紐４を差し通してリング状にした後、ロック部４１に頭部４２を嵌め込む。
これによって、図３に示すように、結束具である結束紐４を介して鋸柄２２と鋸鞘３とが結束（連結）され、鋸２と鋸鞘３との一体構造１が形成される。
【００２５】
以上の構成からなる鋸２と鋸鞘３との一体構造は、以下の効果を奏する。
【００２６】
結束具である結束紐４を介して鋸柄２２と鋸鞘３とを結束する構成とすることで、特に鋸２と鋸鞘３とをセットして販売する際に、鋸鞘３に収納してある鋸２の自由な抜き出しを効果的に規制することができる。よって、鋸鞘３に収納してある（差し入れてある）鋸２を、別の鋸に意図的に差し替えて購入する行為を効果的に防止することができる。従って、簡易な構成で防犯機能を備えた鋸と鋸鞘との一体構造を形成することができる。
また商品輸送時や商品陳列時に鋸鞘３から鋸２が抜け落ちることを効果的に防止することができる。
【００２７】
また結束具を結束紐４とする構成とすることで、簡易な構成で鋸柄２２と鋸鞘３とを結束することができる。よって鋸柄２２と鋸鞘３との結束作業の効率化を図ることができる。
【００２８】
また結束紐４の長さを、鋸刃２１の末端側を鋸鞘３から抜き差し自在とすると共に、鋸刃２１の中央付近から先端側を鋸鞘３に収納保持できる長さに調整してある構成とすることで、鋸柄２２（鋸２）と鋸鞘３とを結束してある状態でも、購入希望者が鋸刃２１の末端側の形状等を確認できる構成とすることができる。
【００２９】
なお、結束紐４の配置位置は本実施形態に限るものではなく、鋸柄２２（鋸２）と鋸鞘３とを結束できる構成であれば、適宜変更可能である。例えば鞘本体３２に紐通穴を設け、鞘本体３２と結束用リング２３とを結束紐４で結束するような構成としてもよい。この場合、吊り下げ部３３を設けない構成としてもよい。また結束具も結束紐４に限るものではなく、鋸柄２２（鋸２）と鋸鞘３とを結束できるものであれば、他の結束具を用いる構成としてもよい。
但し、上記何れの場合でも鋸刃２１の末端側を鋸鞘３から抜き差し自在とすると共に、鋸刃２１の中央付近から先端側を鋸鞘３に収納保持できる構成とすることが望ましい。
【００３０】
また鋸２、鋸鞘３の形状、大きさ等も本実施形態に限るものではなく、適宜変更可能である。
【産業上の利用可能性】
【００３１】
本考案の鋸と鋸鞘との一体構造は、鋸、鋸鞘の分野において有用であり、産業上の利用可能性が大きい。
【符号の説明】
【００３２】
１        鋸と鋸鞘との一体構造
２        鋸
３        鋸鞘
４        結束紐
２１      鋸刃
２１ａ    刃先
２１ｂ    刃元
２２      鋸柄
２２ａ    リング穴
２３      結束用リング
３１      鞘口部
３１ａ    入口
３１ｂ    案内ロール
３１ｃ    刃先受台
３２      鞘本体
３３      吊り下げ部
３３ａ    ジョイント部
３３ｂ    ベルト部
３３ｃ    リング穴
４１      ジョイント部
４２      頭部
【図１】
0003198391.tif 000003
【図２】
0003198391.tif 000004
【図３】
0003198391.tif 000005
【図４】
0003198391.tif 000006